(57)【要約】【課題】  マスクを着用したままで口を動かしたときに被覆部が上方へずれることを防止できるマスクを提供する。【解決手段】  マスク１は、マスク着用者の鼻孔と口部とを覆うことが可能な被覆部２と、被覆部２から延びていて着用者の頭部、頸部、耳部のいずれかに掛け回すことのできる締め紐３とを有している。被覆部２は、顔面Ｆの上下に一致する上下方向Ａと、上下方向に直交する幅方向Ｂと、顔面Ｆと向かい合う内面Ｄと、内面の反対面である外面Ｅとを有している。被覆部２における周縁部分２４には、顔面Ｆの顎部Ｇに当接可能な下縁部分２４ａが含まれている。下縁部分２４ａの一部には、マスクの着用状態において下縁部分２４ａから顎部Ｇの下方に延びて、下方から顎部Ｇに当接可能である顎当て用パッド６が形成されている。【選択図】図４
2012010974.tif 000002
【特許請求の範囲】
【請求項１】
マスク着用者の鼻孔と口部とを覆うことが可能な被覆部と、前記被覆部から延びていて前記着用者の頭部、頸部、耳部のいずれかに掛け回すことのできる着用手段とを有するマスクであって、
前記被覆部は、顔面の上下に一致させる上下方向と、前記上下方向に直交する幅方向と、前記顔面と向かい合う内面と、前記内面の反対面である外面とを有し、
前記被覆部における周縁部分には、前記顔面の顎部に当接可能な下縁部分が含まれ、
前記下縁部分の一部には、前記マスクの着用状態において前記下縁部分から前記顎部の下方に延びて、前記下方から前記顎部に当接可能である顎当て用パッドが形成されていることを特徴とする前記マスク。
【請求項２】
前記顎当て用パッドは、前記上下方向の上方に位置する上方部分と下方に位置する下方部分とを有するとともに、前記被覆部の内面と向かい合うパッド内面と前記パッド内面の反対面であるパッド外面とを有し、
前記下方部分における前記パッド内面は、前記被覆部に対して前記下縁部分における内面と重なり合う部分において前記周縁部分に接合される一方、前記周縁部分に固定される部分以外の部分は、前記被覆部に対して非接合状態にあり、前記顎当て用パッドが前記周縁部分で前記被覆部に支えられて前記被覆部に対して非接合状態にある前記部分が前記被覆部の前記内面と向かう位置と、前記顎部の下方へ延びる位置との間を往復旋回運動可能である請求項１に記載のマスク。
【請求項３】
前記被覆部がカップ形状に形成されている請求項１又は２に記載のマスク。
【請求項４】
前記カップ形状の被覆部は、前記周縁部分の内面に取り付けられて前記周縁部分に沿って環状に延びるクッションパッドを有し、前記顎当て用パッドが前記クッションパッドを介して前記周縁部分に固定されている請求項３に記載のマスク。
【請求項５】
前記被覆部の前記外面には、前記顎当て用パッドよりも上方の位置において、鼻部を前記幅方向の両側から挟むことが可能なノーズクリップが取り付けられている請求項１〜４のいずれかに記載のマスク。
【請求項６】
前記顎当て用パッドは、前記被覆部とは別体の部材を前記被覆部に取り付けたものである請求項１〜５のいずれかに記載のマスク。
【発明の詳細な説明】
【技術分野】
【０００１】
この発明は、マスク着用者の鼻孔と口部とを覆うことが可能な被覆部と、前記被覆部から延びていて前記着用者の頭部、頸部、耳部のいずれかに掛け回すことのできる着用手段とを有するマスクに関する。
【背景技術】
【０００２】
従来、マスク着用者の鼻孔と口部とを覆うことが可能な被覆部を有し、この被覆部をカップ形状に形成したマスクは公知である。例えば、特許文献１に開示されているマスクは、着用者の鼻孔と口部とを覆い、カップ形状に形成されたフィルター部材である被覆部を有している。このマスクは、被覆部の周縁部分を着用者の顔面に前方から当接させる締め紐を着用手段として持ち、前記締め紐で着用者の頭部又は耳部に掛け回すことが可能となっている。
【先行技術文献】
【特許文献】
【０００３】
【特許文献１】特開２００４−２４２９０５号公報
【発明の概要】
【発明が解決しようとする課題】
【０００４】
特許文献１に開示されているマスクでは、例えば、着用者が話すことで口を動かした場合、口部を覆っていた被覆部が上方にずれてしまうという問題があった。
【０００５】
この発明では、例えば、マスクを着用したままで口を動かしたときに、被覆部が上方へずれることを防止できるマスクの提供を課題にしている。
【課題を解決するための手段】
【０００６】
前記課題を解決するために、この発明が対象とするのは、マスク着用者の鼻孔と口部とを覆うことが可能な被覆部と、前記被覆部から延びていて前記着用者の頭部、頸部、耳部のいずれかに掛け回すことのできる着用手段とを有するマスクである。
【０００７】
かかるマスクにおいて、この発明が特徴とするのは、以下のとおりである。すなわち、前記被覆部は、顔面の上下に一致させる上下方向と、前記上下方向に直交する幅方向と、前記顔面と向かい合う内面と、前記内面の反対面である外面とを有し、前記被覆部における周縁部分には、前記顔面の顎部に当接可能な下縁部分が含まれ、前記下縁部分の一部には、前記マスクの着用状態において前記下縁部分から前記顎部の下方に延びて、前記下方から前記顎部に当接可能である顎当て用パッドが形成されている。
【０００８】
この発明の好ましい実施態様の一つにおいて、前記顎当て用パッドは、前記上下方向の上方に位置する上方部分と下方に位置する下方部分とを有するとともに、前記被覆部の内面と向かい合うパッド内面と前記パッド内面の反対面であるパッド外面とを有し、前記下方部分における前記パッド内面は、前記被覆部に対して前記下縁部分における内面と重なり合う部分において前記周縁部分に接合される一方、前記周縁部分に固定される部分以外の部分は、前記被覆部に対して非接合状態にあり、前記顎当て用パッドが前記周縁部分で前記被覆部に支えられて前記被覆部に対して非接合状態にある前記部分が前記被覆部の前記内面と向かう位置と、前記顎部の下方へ延びる位置との間を往復旋回運動可能である。
【０００９】
この発明の好ましい実施態様の他の一つにおいて、前記被覆部がカップ形状に形成されている。
【００１０】
この発明の好ましい実施態様の他の一つにおいて、前記カップ形状の被覆部は、前記周縁部分の内面に取り付けられて前記周縁部分に沿って環状に延びるクッションパッドを有し、前記顎当て用パッドが前記クッションパッドを介して前記周縁部分に固定されている。
【００１１】
この発明の好ましい実施態様の他の一つにおいて、前記被覆部の前記外面には、前記顎当て用パッドよりも上方の位置において、鼻部を前記幅方向の両側から挟むことが可能なノーズクリップが取り付けられている。
【００１２】
この発明の好ましい実施態様の他の一つにおいて、前記顎当て用パッドは、前記被覆部とは別体の部材を前記被覆部に取り付けたものである。
【発明の効果】
【００１３】
この発明に係るマスクによれば、被覆部の下縁部分の一部には、マスクの着用状態において、下縁部分から顎部の下方に延びて、下方から顎部に当接可能である顎当て用パッドが設けられているため、着用者がマスクを着用したままで口を動かして被覆部が上方にずれようとしたときでも、顎当て用パッドが顎部に下方から当接して被覆部が上方へずれることを防ぐことができる。
【図面の簡単な説明】
【００１４】
【図１】第１実施形態のマスクの前面側を示す斜視図。
【図２】そのマスクの後面側を示す斜視図。
【図３】顎当て用パッドが第２位置にある状態を示す斜視図。
【図４】図３のＩＶ−ＩＶ線に沿う断面図。
【図５】マスクの後面を示す図。
【図６】第２実施形態のマスクの後面側を示す斜視図。
【図７】第２実施形態のマスクの変形例の後面を示す図。
【発明を実施するための形態】
【００１５】
添付図面を参照して、この発明に係るマスクの詳細を説明すると、以下のとおりである。
【００１６】
＜第１実施形態＞
図１は、第１実施形態のマスク１の前面側を示す斜視図であり、図２は、そのマスク１の後面側を示す斜視図である。これらの図において、Ａは上下方向を示し、Ｂは上下方向Ａに直交する幅方向を示し、Ｃは上下方向Ａ及び幅方向Ｂに直交する前後方向を示している。線Ｐ−Ｐは、マスク１を幅方向Ｂに二等分する中心線である。なお、この発明において、前後方向Ｃにおける前方とはマスク着用者の後頭部から顔面へ向かう方向を意味し、後方とは、その反対方向、すなわち顔面から後頭部の向かう方向を意味している。
このマスク１は、中心線Ｐ−Ｐに関して左右対称に形成されていて、着用者の顔面と向かい合う内面Ｄと、この内面Ｄの反対面である外面Ｅとを有している。
【００１７】
マスク１は、例えば、一度の使用で捨てるものであって、着用者の鼻孔及び口部を覆う被覆部２と、着用者の頭部、頸部、および耳部のうちの少なくとも一つに掛け回すことが可能な着用手段である締め紐３と、締め紐３を長さ調節可能に被覆部２に取り付ける紐保持部材４と、ノーズクリップ５と、顎当て用パッド６とを備えている。
【００１８】
被覆部２は、カップ形状のもので、一例として、熱可塑性合成繊維の不織布や、その不織布の積層体、その不織布と熱可塑性合成樹脂製のネット状シートとの積層体、熱可塑性合成樹脂製の発泡シート等を熱成形することによって得ることができる。
被覆部２は、少なくともその一部分が通気性を有していて、その一部分は、着用者の吸気の取り入れと呼気の排出とが可能であり、且つその吸気および呼気の濾過を行うフィルター機能を有している。被覆部２は、前方に向かって突出する中央部２２と、環状に延びる周縁部分２４とを備えている。
周縁部分２４は、マスクを着用したときに、着用者の顔面に前方から当接する部分であって、顔面の顎部に当接可能な下縁部分２４ａと、鼻部に当接可能な上縁部分２４ｂとを含んでいる。周縁部分２４の後面側には、鼻部と口部とが進入退却することができる開口２５を形成してある。
好ましいマスク１では、周縁部分２４が着用者の顔面に当接しているときに、中央部２２は顔面から離間して、顔面との間に空間を形成した状態で、着用者の鼻孔と口部とを被覆している。
【００１９】
紐保持部材４は、ベース部を有し、被覆部２を形成している不織布等のシート状部材の間にそのベース部を介在させることによって、被覆部２の内面Ｄ側及び外面Ｅ側にベース部が現れることを防止し、着用者の顔面にベース部が接触することを防止している。図示例の紐保持部材４は、熱可塑性合成樹脂で形成してある。
【００２０】
ノーズクリップ５は、慣用のもので、被覆部２の上縁部分２４ｂにおける外面Ｅに取り付けられていて、顎当て用パッド６よりも上方の位置にある。このノーズクリップ５は、例えばアルミニウム等の可塑性金属シート片、その他の可塑性材料で作られるもので鼻部を幅方向Ｂの両側から挟むことが可能である。
そして、マスク１を着用した際、鼻部を幅方向Ｂの両側からノーズクリップ５で挟めば、着用者が話すことにより口が動いても、ノーズクリップ５で被覆部２が下方へずれることを防止することができる。
【００２１】
顎当て用パッド６は、例えばナイロン、ポリプロピレン、軟質ポリエチレン、塩化ビニル等の熱可塑性合成樹脂のシート状の小片や熱可塑性合成繊維で形成された不織布の小片、柔軟な発泡シートの小片等によって形成してあり、被覆部２とは別体の部材である。
顎当て用パッド６は、被覆部２の内面Ｄと向かい合うパッド内面６４と、パッド内面６４の反対面であるパッド外面６５とを有している。
顎当て用パッド６は、その下方部分６１におけるパッド内面６４が、周縁部分２４における内面Ｄと重なり合う部分において周縁部分２４に接合される一方、その下方部分６１以外の部分は、被覆部２に対して非接合状態である。例えば、上方部分６２は、被覆部２に対して非接合状態である。
また、顎当て用パッド６の下方部分６１の輪郭は、被覆部２の下縁部分２４ａの輪郭にほぼ一致していて、下方に向かっておおむね凸となる曲線を画いている。
顎当て用パッド６の上方部分６２の輪郭は、上方に向かっておおむね凸となる曲線を画いていて、中心線Ｐ−Ｐに一致する部位において下方部分６１からの上下方向Ａの離間寸法が最も大きい。上方部分６２は、中心線Ｐ−Ｐから幅方向Ｂに離間するに従って下方部分６１からの離間寸法が次第に小さくなり、幅方向Ｂの両側に位置する端部６３において下縁部分２４ａに重なっている。このように上方部分６２が中心線Ｐ−Ｐに沿って上下方向Ａの上方に向いているときの顎当て用パッド６の位置を第１位置という。第１位置にあるときには、下方部分６１と、下方部分６１以外の部分とが、被覆部２の内面Ｄとそれぞれ向かい合う。
図３は、顎当て用パッド６が第２位置にあるときの状態を示す図２と同様な図であり、図４は、図３のＩＶ−ＩＶ線に沿う断面図である。この顎当て用パッド６は、下方部分６１で被覆部２に支えられ、下方部分６１以外の部分が、第１位置と、第２位置との間を往復旋回運動可能である。顎当て用パッド６が第１位置から第２位置に移動した状態では、下方部分６１以外の部分が、前後方向Ｃに向きを変えて顎部Ｇの下方へ延びる。すなわち、顎当て用パッド６が第２位置にあるときは、被覆部２に対して非接合状態にある下方部分６１以外の部分が、顎部の下方へ延びる。
顎当て用パッド６は、下方部分６１と、被覆部２の下縁部分２４ａとを、例えば、後述する熱溶着によって一体化することで、下方部分６１を介して被覆部２に支えられている。また、顎当て用パッド６は、熱溶着を行なった部分に沿って、図３、４の如く旋回するように折り曲げることで、下方部分６１以外の部分が、第１位置と、第２位置との間を往復旋回運動する。
【００２２】
このマスク１では、複数枚の繊維不織布、紐保持部材４、顎当て用パッド６を重ねてから、それらを加熱下に加圧することでカップ形状の被覆部２と、周縁部分２４におけるシールライン２６とを形成してある。このシールライン２６では、重ねた部材どうしが溶着した状態にあって、被覆部２の中央部分２２よりも高い剛性を有している。
【００２３】
マスク１を製造してから着用するまでの間、顎当て用パッド６は、第１位置にあることが望ましい。例えば、複数のマスク１を一つの包装袋に入れる場合、マスク１がかさばることを防止することができる。
一方、マスク１を着用する場合、顎当て用パッド６が第２位置にあると、着用者の鼻孔および口部を被覆部２で覆ったときに、被覆部２の下縁部分２４ａから顎部Ｇの下方に延びている顎当て用パッド６は、それを顎部Ｇに対して下方から当接させることができる。加えて、着用者の鼻部Ｈを、幅方向Ｂの両側からノーズクリップ５で挟むこともできる。
マスク１を着用した状態では、被覆部２と顔面Ｆとの間に空間２７が形成される。また、被覆部２の中央部分２２よりも高い剛性を有するシールライン２６によって、周縁部分２４と顔面との間に隙間のできることを防ぐことができる。
【００２４】
このように形成されているマスク１によれば、被覆部２には、マスク１の着用状態において、下縁部分２４ａから顎部Ｇの下方に延びて、下方から顎部Ｇに当接可能である顎当て用パッド６が設けられているため、着用者が話すことなどにより口が動いて被覆部２が上方にずれようとしたときでも、顎当て用パッド６が顎部Ｇに当接して、顎当て用パッド６で被覆部２が上方へずれることを防ぐことができる。また、ノーズクリップ５によって、被覆部２が上方に移動することを防ぐことができる。顎当て用パッド６とノーズクリップ５とが協働するときのマスク１では、被覆部２が顔面に対して上方にも、下方にもずれることがない。
【００２５】
被覆部２が上方へずれることを防ぐことを考慮すれば、着用者の顎部Ｇと、顎当て用パッド６との接触面積が広い方が良い。よって、シールライン２６は、図５に示すように、できるだけ顎当て用パッド６の下方部分６１に寄せて形成することが好ましい。さらに、図５に示す顎当て用パッド６の上下方向Ａにおける長さ寸法Ｌ１は、長いほど有利である。
一方、着用状態を考慮すると、長さ寸法Ｌ１をあまりにも長くした場合、着用者の喉に、顎当て用パッド６の上方部分６２が接触し、着用者が不快感を抱くおそれがあり、着用者の顔面Ｆから周縁部分２６が浮き上がって、空間２７の気密性を確保することができないおそれがある。
これらを考慮すると、上下方向Ａにおける顎当て用パッド６の長さ寸法Ｌ１は、２０ｍｍから６０ｍｍの範囲で設定することが好ましい。
また、幅方向Ｂにおける顎当て用パッド６の幅寸法Ｗ１は、あまりに狭すぎると口の動きに抗することができず、被覆部２が上方へずれることとなる一方、あまりに広すぎると無駄な材料を使用することになるため、３０ｍｍから１００ｍｍの範囲で設定することが好ましい。
さらに、顎当て用パッド６の厚さ寸法Ｔ１（図４参照）は、その材質にもよるが、一定厚さ以上であると、第１位置と第２位置との間を旋回させることが困難になる一方、一定厚さ以下であると、口の動きに抗することができない。顎当て用パッド６に使用するシート材料の性質にもよるが、厚さ寸法Ｔ１は、その剛性が適切な値となるように一般的には、０．５ｍｍから４．０ｍｍの範囲で設定することが好ましい。
【００２６】
なお、本発明は、上述した実施形態に限られない。例えば、顎当て用パッド６の形状は任意に変更することができる。また顎当て用パッド６は、例えば、合成ゴム等の弾性を有するシート片として形成してもよいし、ポリスチレン等を材料として、通気性及び吸水性を有するスポンジ状のシート片で形成してもよい。顎当て用パッド６が弾性を有するシート片で形成されていて、図４において、その顎当て用パッド６が顎部Ｇに対して弾性的に当接するものであるときには、マスク１のずれ防止効果が高くなる。
また、顎当て用パッド６は、被覆部２と別体に形成しても良いし、一体に形成してもよい。
さらに、顎当て用パッド６は、シールライン２６で被覆部２に接合したもので説明したが、シールライン２６とは別の個所で被覆部２に接合してもよい。
また、顎当て用パッド６の下方部分６１の形状と、被覆部２の下縁部分２４ａの形状とを一致させる必要はなく、例えば被覆部２の下縁部分２４ａから、顎当て用パッド６の下方部分６１が突出してもよい。
さらに、顎当て用パッド６と、被覆部２と、紐保持部材４とを同時に一体化する必要はなく、これら顎当て用パッド６、被覆部２、紐保持部材４のうちの一部を一体化した後、残りのものを接着剤等によって、別途、取り付けてもよい。もちろん、個別に取り付けもよい。
また、被覆部２に対する顎当て用パッド６の取り付けは、上述した熱溶着に限られず、超音波溶着、高周波溶着でもよい。もちろん、他の方法で取り付けてもよい。
さらに、被覆部２は、図示例のカップ形状以外の立体的形状であってもよい。もちろん、被覆部２は、矩形の平面形状であってもよい。
また、顎当て用パッド６は、上述したマスク１に適用するものに限られず、被覆部２の一部に通気性を有さない部分を有するマスクに適用してもよいし、吸気弁と排気弁とのうちの少なくとも一方を有するマスクに適用してもよい。
【００２７】
＜第２実施形態＞
図６は、第２実施形態のマスク１０の後面側を示す斜視図である。第２実施形態のマスク１０において、第１実施形態のマスク１と同一の構成、機能等を有する部材、部分には同一の符号を付して説明を省略する。
【００２８】
このマスク１０の被覆部２は、周縁部分２４の内面Ｄにおいて、周縁部分２４に沿って環状に延びるクッションパッド７を有しているが、他の部材、部分は、マスク１と同一である。
クッションパッド７は、例えば、熱可塑性合成樹脂の発泡シートによって形成されていて、柔軟にして弾性変形可能であり、好ましくは非通気性のものである。かかるクッションパッド７は、顎当て用パッド６とは別体の部材として用意される。
環状のクッションパッド７は、その内側に開口７１を形成し、被覆部２の周縁部分２４に沿って延びる帯状部７２を有している。開口７１は、上下方向Ａと幅方向Ｂとの縦横の大きさが、図２に示された被覆部２の開口２５の縦横の大きさよりも小さく形成してあるが、着用者の鼻部Ｈと口部とが進入退却することができる大きさを有している。
このマスク１０では、クッションパッド７が被覆部２に取り付けてあり、顎当て用パッド６がクッションパッド７を介して被覆部２に取り付けてある。
【００２９】
クッションパッド７は、鼻部Ｈ（図４参照）の周囲にフィットし易いように、図６において中心線Ｐ−Ｐ上における上部が鼻当接部７３を含み、その鼻当接部７３では、クッションパッド７が逆Ｖ字状に切り欠かれている。この鼻当接部７３は、着用者が口を動かすことによって、被覆部２が下方にずれようとしたときでも、鼻当接部７３に鼻部Ｈが当接することで被覆部２の下方へのずれを防ぐことができる。よって、この鼻当接部７３と顎当て用パッド６とにより被覆部２が上下方向Ａにずれることを防ぐことができる。このマスク１０では、クッションパッド７に鼻当接部７３を有しているため、ノーズクリップ５（図１参照）を設けていない。
クッションパッド７は、例えば、被覆部２を形成している繊維不織布、顎当て用パッド６等とともに熱溶着を行って被覆部２に対して一体的化する。
【００３０】
図６において明らかなように、顎当て用パッド６は、それを図２と同様な第１位置にセットした状態において、その全域が、クッションパッド７と重なるように作ることができる。そのようなクッションパッド７では、クッションパッド７から顎当て用パッド６の上方部分６２が開口７１へ突出することを防止することができる。
【００３１】
かかるマスク１０において、着用者が顎当て用パッド６を第２位置にセットした状態で使用したくない場合、顎当て用パッド６を第１位置にセットした状態でマスク１０を着用すれば、顎当て用パッド６の全域がクッションパッド７に重なるため、顎当て用パッド６の上方部分６２は開口７１に突出することがなく、開口７１の内側における吸排気動作に対して顎当て用パッド６は邪魔になることがない。
【００３２】
なお、本発明は、上述した実施形態に限られず、第１実施形態と同様の種々の変更を行うことができる。例えば、クッションパッド７は、熱溶着によって被覆部２等と一体化する必要はなく、例えば、接着剤等によって被覆部２に取り付けてもよい。また、クッションパッド７と顎当て用パッド６とは、別体に形成してもよいし、一体に形成してもよい。
【００３３】
また、マスク１０についての図６とは異なる態様の一例を図７に示す。図示するように、クッションパッド７には、開口７１から周縁部分２４に向かって延びる切り欠き７４を形成してある。
このようにクッションパッド７に複数の切り欠き７４を形成すれば、クッションパッド７が、さらに柔軟性を有するため、着用者の顔面とクッションパッド７との間に隙間が発生することを確実に防止することができる。
また、切り欠き７４を２つ形成し、これらの切り欠き７４と、顎当て用パッド６の幅方向Ｂにおける端部６３とほぼ一致させてある。このように、切り欠き７４と、顎当て用パッド６の幅方向Ｂにおける端部６３とをほぼ一致させれば、下方部分６１以外の部分を第１位置に移動させた状態でマスク１０を着用するとき、切り欠き７４によって、顎当て用パッド６と重なるクッションパッド７が、前方へ倒れることができるため、着用者の顔面と、クッションパッド７との間に隙間が発生することを防止することができる。
【符号の説明】
【００３４】
１      マスク
２      被覆部
３      締め紐（着用手段）
６      顎当て用パッド
７      クッションパッド
１０    マスク
２４    周縁部分
２４ａ  下縁部分
６１    下方部分
【図１】
2012010974.tif 000003
【図２】
2012010974.tif 000004
【図３】
2012010974.tif 000005
【図４】
2012010974.tif 000006
【図５】
2012010974.tif 000007
【図６】
2012010974.tif 000008
【図７】
2012010974.tif 000009